(57)【要約】【課題】工場で作製するときに未発泡層を発泡する必要がなく、食べ物や飲料の温度により未発泡層が発泡を始め、未発泡層の発泡が終わると、断熱効果が良く、生産コスト及び生産工数を減少可能な未発泡層付き紙容器を提供する。【解決手段】底板と、胴部と、を備え、底板と胴部とから、収容空間及び収容空間と連通する開口が構成され、少なくとも一つの紙層を含む本体と、少なくとも一部が胴部の外周面にスクリーン印刷されており、少なくとも一つの未発泡層を含み、未発泡層は、水性アクリル樹脂と、発泡粉と、水性補助剤と、を含む断熱層と、を含み、水性アクリル樹脂と水性補助剤とは基材に一体成形され、発泡粉は基材内に均一に分布され、未発泡層は発泡する温度を有する。【選択図】図１
0003202026.tif 000002
【実用新案登録請求の範囲】
【請求項１】
底板と、胴部と、を備え、前記底板と前記胴部とから、収容空間及び前記収容空間と連通する開口が構成され、少なくとも一つの紙層を含む本体と、
少なくとも一部が前記胴部の外周面にスクリーン印刷されており、少なくとも一つの未発泡層を含み、前記未発泡層は、水性アクリル樹脂と、発泡粉と、水性補助剤と、を含む断熱層と、
を含み、
前記水性アクリル樹脂と前記水性補助剤とは基材に一体成形され、前記発泡粉は前記基材内に均一に分布され、前記未発泡層は発泡する温度を有することを特徴とする未発泡層付き紙容器。
【請求項２】
前記水性アクリル樹脂は、前記未発泡層の全部の重量の４５％〜５５％を占めることを特徴とする、請求項１に記載の未発泡層付き紙容器。
【請求項３】
前記発泡粉は、前記未発泡層の全部の重量の３１％〜４１％を占めることを特徴とする、請求項１に記載の未発泡層付き紙容器。
【請求項４】
前記水性補助剤は、前記未発泡層の全部の重量の１０％〜１４％を占めることを特徴とする、請求項１に記載の未発泡層付き紙容器。
【請求項５】
前記未発泡層の全部の重量の１％〜３％は水であることを特徴とする、請求項１に記載の未発泡層付き紙容器。
【請求項６】
前記水性アクリル樹脂は前記未発泡層の全部の重量の５０％を占め、前記発泡粉は前記未発泡層の全部の重量の３６％を占め、前記水性補助剤は前記未発泡層の全部の重量の１２％を占め、前記未発泡層の全部の重量の２％は水であることを特徴とする、請求項１に記載の未発泡層付き紙容器。
【請求項７】
前記本体の内面には、防水層がカバーされていることを特徴とする、請求項１に記載の未発泡層付き紙容器。
【請求項８】
前記断熱層の厚さは、前記開口から前記底板へ徐々に増加することを特徴とする、請求項１に記載の未発泡層付き紙容器。
【請求項９】
前記断熱層の厚さは、前記開口から前記底板へ徐々に減少することを特徴とする、請求項１に記載の未発泡層付き紙容器。
【請求項１０】
前記断熱層の表面は連続な波状を呈することを特徴とする、請求項１に記載の未発泡層付き紙容器。
【請求項１１】
前記断熱層の表面は、間隔を置いた波状を呈することを特徴とする、請求項１に記載の未発泡層付き紙容器。
【請求項１２】
前記断熱層の表面は、不規則な凹凸状を呈することを特徴とする、請求項１に記載の未発泡層付き紙容器。
【考案の詳細な説明】
【技術分野】
【０００１】
本考案は、紙容器に関し、特に、未発泡層付き紙容器に関するものである。
【背景技術】
【０００２】
一般的なレストランは、使い捨て食器により食べ物や飲料を収容するが、樹脂やスタイロフォームで作製される使い捨て食器は、生産コストが低いが、地球環境に悪影響を与える。上記の問題を解決するために、紙質で作製される使い捨て食器はどんどん普及となる。しかし、紙質で作製される使い捨て食器は、断熱効果が良くないため、高熱な食べ物や飲料を収容する場合に、ユーザが火傷されやすい問題がある。このような問題を解決するために、紙質で作製される容器（例えばコーヒーコップ）の外周面に断熱リングを嵌め設けることが一般的である。一般的な断熱リングが段ボール紙で作製されるため、断熱効果が良いが、利用が不便であり、そして脱落しやすい問題がある。上記の問題を解決するために、あるメーカーが発泡容器を開発した。このような発泡容器は、容器の外周面に断熱層を塗布して、高温高圧処理によって断熱層を発泡して発泡層を形成する。このような発泡層により、高熱な食べ物や飲料を収容しても、ユーザが火傷されることはなくなる。
【０００３】
しかし、従来の発泡容器は、発泡層の発泡温度が１００℃を超える。断熱層に加熱プロセスを施さないと、発泡層が形成しないため、生産コストが大幅に増加する問題がある。このため、発泡容器の価格が高く、レストランが発泡容器を採用する意欲に抵抗がある。
【考案の概要】
【考案が解決しようとする課題】
【０００４】
本考案の主な目的は、未発泡層の発泡温度がより低く、工場で作製するときに未発泡層を発泡する必要がなく、高熱な食べ物や飲料を収容するときに、食べ物や飲料の温度により未発泡層が発泡を始め、未発泡層の発泡が終わると、断熱効果が良く、生産コスト及び生産工数を減少することが可能な未発泡層付き紙容器を提供することにある。
【課題を解決するための手段】
【０００５】
本考案の未発泡層付き紙容器によると、底板と、胴部と、を備え、底板と胴部とから、収容空間及び収容空間と連通する開口が構成され、少なくとも一つの紙層を含む本体と、少なくとも一部が胴部の外周面にスクリーン印刷されており、少なくとも一つの未発泡層を含み、未発泡層は、水性アクリル樹脂と、発泡粉と、水性補助剤と、を含む断熱層と、を含み、水性アクリル樹脂と水性補助剤とは基材に一体成形され、発泡粉は基材内に均一に分布され、未発泡層は発泡する温度を有することを特徴とする。
【０００６】
本考案の未発泡層付き紙容器によると、水性アクリル樹脂は、未発泡層の全部の重量の４５％〜５５％を占めることを特徴とする。
【０００７】
本考案の未発泡層付き紙容器によると、発泡粉は、未発泡層の全部の重量の３１％〜４１％を占めることを特徴とする。
【０００８】
本考案の未発泡層付き紙容器によると、水性補助剤は、未発泡層の全部の重量の１０％〜１４％を占めることを特徴とする。
【０００９】
本考案の未発泡層付き紙容器によると、未発泡層の全部の重量の１％〜３％は水であることを特徴とする。
【００１０】
本考案の未発泡層付き紙容器によると、水性アクリル樹脂は未発泡層の全部の重量の５０％を占め、発泡粉は未発泡層の全部の重量の３６％を占め、水性補助剤は未発泡層の全部の重量の１２％を占め、未発泡層の全部の重量の２％は水であることを特徴とする。
【００１１】
本考案の未発泡層付き紙容器によると、本体の内面には、防水層がカバーされていることを特徴とする。
【００１２】
本考案の未発泡層付き紙容器によると、断熱層の厚さは、開口から底板へ徐々に増加することを特徴とする。
【００１３】
本考案の未発泡層付き紙容器によると、断熱層の厚さは、開口から底板へ徐々に減少することを特徴とする。
【００１４】
本考案の未発泡層付き紙容器によると、断熱層の表面は連続な波状を呈することを特徴とする。
【００１５】
本考案の未発泡層付き紙容器によると、断熱層の表面は、間隔を置いた波状を呈することを特徴とする。
【００１６】
本考案の未発泡層付き紙容器によると、断熱層の表面は、不規則な凹凸状を呈することを特徴とする。
【考案の効果】
【００１７】
本考案の未発泡層付き紙容器によれば、未発泡層の発泡温度がより低く、工場で作製するときに未発泡層を発泡する必要がなく、高熱な食べ物や飲料を収容するときに、食べ物や飲料の温度により未発泡層が発泡を始め、未発泡層の発泡が終わると、断熱効果が良く、生産コスト及び生産工数を減少することが可能であるという効果を有する。
【図面の簡単な説明】
【００１８】
【図１】本考案の第１の実施形態を示す斜視図である。
【図２】本考案の第１の実施形態を示す分解斜視図である。
【図３】本考案の第１の実施形態を示す別の分解斜視図である。
【図４】本考案の第１の実施形態を示す断面図である。
【図５】本考案の第１の実施形態が発泡された状態を示す図である。
【図６】本考案の第２の実施形態を示す断面図である。
【図７】本考案の第２の実施形態が発泡された状態を示す図である。
【図８】本考案の第３の実施形態を示す断面図である。
【図９】本考案の第４の実施形態を示す断面図である。
【図１０】本考案の第５の実施形態を示す断面図である。
【考案を実施するための形態】
【００１９】
以下、本考案の実施の形態を図面に基づいて説明する。
【００２０】
（第１の実施形態）
図１から図５を参照する。本実施形態に係る未発泡層付き紙容器１は、本体２と、断熱層３と、を含む。
【００２１】
本体２は、底板２１と、胴部２２と、を備える。底板２１と胴部２２とから、収容空間２３及び収容空間２３と連通する開口２４が構成される。本体２は、少なくとも一つの紙層２５を含む。本実施形態では、紙層２５が一つある。本体２の内面には、防水層２６がカバーされている。防水層２６により、液体の漏れ及び本体２が液体に滲入されて破損することを防止可能である。本実施形態では、未発泡層付き紙容器１がコップであるが、もちろん、碗などの容器でもよい。
【００２２】
断熱層３は、少なくとも一部が胴部２２の外周面にスクリーン印刷されている。ユーザの手は、断熱層３を介して未発泡層付き紙容器１を握る。本実施形態では、断熱層３が胴部２２の外周面を囲むようにスクリーン印刷されている。断熱層３は、少なくとも一つの未発泡層３１を含む。未発泡層３１は、水性アクリル樹脂と、発泡粉と、水性補助剤と、を含む。水性アクリル樹脂と水性補助剤とは基材３２に一体成形される。発泡粉は基材３２内に均一に分布される。未発泡層３１は発泡する温度を有する。特に、工業上のスクリーン印刷は、水性、油性、樹脂性、乳剤性またはパウダーなど、更に、塗料や接着剤を印刷可能である。このため、胴部２２の外周面に断熱層３を塗布することは、スクリーン印刷を採用することが極めて適合である。スクリーン印刷工程は、印刷対象物にスクレーパーを軽くタッチし、スクレーパーがゴム製であることが一般的であり、印刷しているときの圧力がより小さいため、胴部２２の外周面が破壊されることを防止可能である。
【００２３】
本実施形態では、水性アクリル樹脂は未発泡層３１の全部の重量の５０％を占め、発泡粉は未発泡層３１の全部の重量の３６％を占め、水性補助剤は未発泡層３１の全部の重量の１２％を占め、未発泡層３１の全部の重量の２％は水である。もちろん、水性アクリル樹脂は未発泡層３１の全部の重量の４５％〜５５％を占め、発泡粉は未発泡層３１の全部の重量の３１％〜４１％を占め、水性補助剤は未発泡層３１の全部の重量の１０％〜１４％を占め、未発泡層３１の全部の重量の１％〜３％は水であってもよい。ユーザは、実際の状況を見て、上記の比例で未発泡層３１を調製することが可能である。
【００２４】
未発泡層を有する紙容器１によって食べ物や液体（本実施形態では液体）を収容するときには、当該液体の温度が発泡温度（約８０℃〜１００℃）より低い場合に、未発泡層３１が発泡しない。なお、当該液体の温度が発泡温度より高い場合には、未発泡層３１が発泡する。未発泡層３１の発泡が終わったと、図５に示すように、発泡済み層３３が形成される。発泡済み層３３により、断熱効果が良い。このため、本考案の未発泡層付き紙容器によれば、生産コスト及び生産工数を減少することが可能であるという効果を有する。
【００２５】
本実施形態では、図４に示すように、断熱層３の厚さが、開口２４から底板２１へ徐々に増加する。これにより、断熱層３の底板２１に近接する部分の断熱能力がより良い。より少量の高温な液体を収容する紙容器１に適用可能である。本考案の第２の実施形態では、図６及び図７に示すように、未発泡層を有する紙容器１Ａの断熱層３Ａの厚さが開口２４から底板２１へ徐々に減少する。これにより、断熱層３の開口２４に近接する部分の断熱能力がより良い。より多量の高温な液体を収容する紙容器１Ａに適用可能である。未発泡層を有する紙容器１Ａは、高温な液体を収容するときに、断熱層３Ａの未発泡層３１Ａが発泡して発泡済み層３３Ａを形成する。発泡済み層３３Ａにより、断熱効果が良い。もちろん、未発泡層を有する紙容器の断熱層は、開口から底板への厚さが一定でもよい。
【００２６】
（第３の実施形態）
上記の実施形態では、断熱層３、３Ａの外面が平坦であるため、製造がよりやすい。本実施形態では、図８に示すように、断熱層３Ｂの表面が連続な波状を呈する。これにより、本実施形態の紙容器を握るときには、摩擦力がより大きい。
【００２７】
（第４の実施形態）
本実施形態では、図９に示すように、断熱層３Ｃの表面が間隔を置いた波状を呈する。これにより、ユーザの指を当該間隔に置くと、本実施形態の紙容器を握る快適感が増加し、そして本実施形態の紙容器を安定的に握ることも可能である。
【００２８】
（第５の実施形態）
本実施形態では、図１０に示すように、断熱層３Ｄの表面は、不規則な凹凸状を呈する。これにより、本実施形態の紙容器を握るときに、摩擦力がより大きいため、本実施形態の紙容器を安定的に握ることも可能である。
【００２９】
未発泡層を有する紙容器によって食べ物や液体を収容するときには、当該液体の温度が発泡温度より高い場合には、未発泡層が発泡する。未発泡層の発泡が終わったと、発泡済み層が形成される。発泡済み層により、断熱効果が良い。このため、本考案の未発泡層付き紙容器によれば、生産コスト及び生産工数を減少することが可能であるという効果を有する。
【００３０】
断熱層は、少なくとも一部が胴部の外周面にスクリーン印刷されている。胴部の外周面に断熱層を塗布するスクリーン印刷工程は、印刷対象物である紙容器にスクレーパーを軽くタッチし、スクレーパーがゴム製であることが一般的であり、印刷しているときの圧力がより小さいため、胴部の外周面が破壊されることを防止可能である。
【００３１】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３２】
本考案は、紙容器に適用することができる。
【符号の説明】
【００３３】
１、１Ａ    未発泡層付き紙容器
２    本体
３、３Ａ、３Ｂ、３Ｃ、３Ｄ    断熱層
２１    底板
２２    胴部
２３    収容空間
２４    開口
２５    紙層
２６    防水層
３１、３１Ａ    未発砲層
３２    基材
３３、３３Ａ    発砲済み層
【図１】
0003202026.tif 000003
【図２】
0003202026.tif 000004
【図３】
0003202026.tif 000005
【図４】
0003202026.tif 000006
【図５】
0003202026.tif 000007
【図６】
0003202026.tif 000008
【図７】
0003202026.tif 000009
【図８】
0003202026.tif 000010
【図９】
0003202026.tif 000011
【図１０】
0003202026.tif 000012